(57)【特許請求の範囲】
【請求項１】
電話回線を介して入力される信号に基づき、宅内の電気機器を制御するテレコン信号を出力するテレコントロール装置において、
上記電話回線を接続する電話回線接続部と、上記テレコン信号を出力する出力部と、テレコン親機とテレコン子機間の通信を可能にした通信部とを備え、
上記テレコン親機または上記テレコン子機を設定するための親子切換スイッチと、上記テレコン親機または上記テレコン子機の設定を通信により確定して親子登録を完了するための親子登録ボタンと、を備えたことを特徴とするテレコントロール装置。
【請求項２】
上記親子登録ボタンの操作による親子登録の完了は、テレコン親機とテレコン子機の両親子登録ボタンが同時に押された場合の所定時間内にのみ実行されるよう構成されたことを特徴とする請求項１に記載のテレコントロール装置。
【請求項３】
上記親子登録ボタンの操作による親子登録時には、通信部から出力される電波の送信出力が、テレコン親機とテレコン子機間の通常の通信の場合に比べ低減されるよう構成されたことを特徴とする請求項１または２に記載のテレコントロール装置。
【請求項４】
上記テレコン子機が複数台の場合には、一台のテレコン親機との間で実施される親子登録が、上記テレコン子機毎に順次実施されることを特徴とする請求項１乃至３のいずれかに記載のテレコントロール装置。
【請求項５】
上記テレコン親機は、親子登録時のみテレコン子機に対し自発的に送信するよう構成されたことを特徴とする請求項１乃至４のいずれかに記載のテレコントロール装置。
【請求項６】
上記テレコン親機は、親子登録完了後にテレコン子機のアドレスが変更された場合、そのテレコン子機に関する登録内容のアドレスを、再度親子登録を実行することなく、変更されたアドレスに書き換えるよう構成されたことを特徴とする請求項５に記載のテレコントロール装置。
【請求項７】
上記テレコン親機またはテレコン子機が制御する電気機器との通信形態に応じて、外出先から上記テレコン親機、上記テレコン子機の少なくとも一方を介して上記電気機器を操作するときのガイダンスが切り換えられるよう構成されたことを特徴とする請求項１乃至６のいずれかに記載のテレコントロール装置。
【発明の詳細な説明】
【０００１】
【発明の属する技術分野】
本発明は、例えば、外出先から電話することにより動作して、宅内の電気機器を操作するテレコントロール装置に関する。
【０００２】
【従来の技術】
一般に、電話回線を介して入力される信号に基づき、宅内の電気機器を制御するテレコン信号を出力するテレコントロール装置が知られている。この種のものでは、テレコントロール装置が、電話回線を接続する電話回線接続部と、テレコン信号を出力する出力部とを備えて構成されている。
【０００３】
従って、テレコントロール装置を宅内に設置する場合、このテレコントロール装置は、電話回線のモジュラージャックのない部屋には設置できない。
【０００４】
【発明が解決しようとする課題】
まして、テレコントロール装置を複数台宅内に設置し、一台のテレコントロール装置を電話回線のモジュラージャックに接続し、他のテレコントロール装置を上記テレコントロール装置と通信可能とし、これらのテレコントロール装置によって複数台の空気調和機を個別に操作するものは存在していない。
【０００５】
本発明の目的は、上述の事情を考慮してなされたものであり、複数台のテレコントロール装置を介して電気機器を操作する際に、隣家のテレコントロール装置との混信を防止できるテレコントロール装置を提供することにある。
【０００６】
【課題を解決するための手段】
請求項１に記載の発明は、電話回線を介して入力される信号に基づき、宅内の電気機器を制御するテレコン信号を出力するテレコントロール装置において、上記電話回線を接続する電話回線接続部と、上記テレコン信号を出力する出力部と、テレコン親機とテレコン子機間の通信を可能にした通信部とを備え、上記テレコン親機または上記テレコン子機を設定するための親子切換スイッチと、上記テレコン親機または上記テレコン子機の設定を通信により確定して親子登録を完了するための親子登録ボタンと、を備えたことを特徴とするものである。
【０００７】
請求項２に記載の発明は、請求項１に記載の発明において、上記親子登録ボタンの操作による親子登録の完了は、テレコン親機とテレコン子機の両親子登録ボタンが同時に押された場合の所定時間内にのみ実行されるよう構成されたことを特徴とするものである。
【０００８】
請求項３に記載の発明は、請求項１または２に記載の発明において、上記親子登録ボタンの操作による親子登録時には、通信部から出力される電波の送信出力が、テレコン親機とテレコン子機間の通常の通信の場合に比べ低減されるよう構成されたことを特徴とするものである。
【０００９】
請求項４に記載の発明は、請求項１乃至３のいずれかに記載の発明において、上記テレコン子機が複数台の場合には、一台のテレコン親機との間で実施される親子登録が、上記テレコン子機毎に順次実施されることを特徴とするものである。
【００１０】
請求項５に記載の発明は、請求項１乃至４のいずれかに記載の発明において、上記テレコン親機は、親子登録時のみテレコン子機に対し自発的に送信するよう構成されたことを特徴とするものである。
【００１１】
請求項６に記載の発明は、請求項５に記載の発明において、上記テレコン親機は、親子登録完了後にテレコン子機のアドレスが変更された場合、そのテレコン子機に関する登録内容のアドレスを、再度親子登録を実行することなく、変更されたアドレスに書き換えるよう構成されたことを特徴とするものである。
【００１２】
請求項７に記載の発明は、請求項１乃至６のいずれかに記載の発明において、上記テレコン親機またはテレコン子機が制御する電気機器との通信形態に応じて、外出先から上記テレコン親機、上記テレコン子機の少なくとも一方を介して上記電気機器を操作するときのガイダンスが切り換えられるよう構成されたことを特徴とするものである。
【００１３】
請求項１、４または７に記載の発明には、次の作用がある。
【００１４】
親子登録ボタンにより親子登録が完了していないテレコントロール装置(テレコン親機、テレコン子機)間では通信が実行されないので、隣家で同じテレコントロール装置を使用していても、このテレコントロール装置を介しての電気機器の操作時に、隣家のテレコントロール装置との間で混信を生じることを防止できる。
【００１５】
請求項２に記載の発明には、次の作用がある。
【００１６】
親子登録ボタンの操作による親子登録の完了は、テレコン親機とテレコン子機の両親子登録ボタンが同時に押された場合の所定時間内にのみ実行されることから、この親子登録が隣家のテレコントロール装置とほぼ同時に実行された場合でも、この親子登録時に、隣家のテレコントロール装置との間で混信を生ずる機会を極力低減できる。
【００１７】
請求項３に記載の発明には、次の作用がある。
【００１８】
親子登録ボタンの操作による親子登録時には、通信部から出力される電波の送信出力が、テレコン親機とテレコン子機間の通常の通信の場合に比べ低減されることから、親子登録が隣家のテレコントロール装置とほぼ同時に実行された場合でも、この親子登録時の電波の到達距離が短縮されるので、この親子登録時に、隣家のテレコントロール装置との間での混信を抑制できる。
【００１９】
請求項５に記載の発明には、次の作用がある。
【００２０】
テレコン親機は、親子登録時のみテレコン子機に対し自発的に送信することから、テレコン親機からテレコン子機への送信が必要最小限に抑えられるので、テレコン親機による消費電力を減少できる。
【００２１】
請求項６に記載の発明には、次の作用がある。
【００２２】
テレコン親機は、親子登録完了後にテレコン子機のアドレスが変更された場合、そのテレコン子機に関する登録内容のアドレスを、再度親子登録を実行することなく、変更されたアドレスに書き換えることから、テレコントロール装置の使い勝手を向上させることができる。
【００２３】
【発明の実施の形態】
以下、本発明による一実施形態を添付の図面を参照して説明する。
【００２４】
図１において、各部屋１Ａ，１Ｂには、壁掛け型空気調和機３Ａ，３Ｂが設置されている。壁掛け型空気調和機３Ａ，３Ｂは、各テレコントロール装置５Ａ，５Ｂにより運転が制御される。１階の部屋１Ａのテレコントロール装置５Ａは、ＡＣアダプタ６を介して商用電源に接続されると共に、コード８を介して、電話回線のモジュラージャック７に接続されている。このモジュラージャック７には電話機９が並列に接続されている。
【００２５】
２階の部屋１Ｂのテレコントロール装置５Ｂは、ＡＣアダプタ１０を介して商用電源に接続されている。ただし、２階の部屋１Ｂには、電話回線のモジュラージャックがなく、このテレコントロール装置５Ｂは、１階の部屋１Ａのテレコントロール装置５Ａとの間で無線通信可能に接続されている。
【００２６】
図２は、テレコントロール装置５Ａ，５Ｂを示している。これらのテレコントロール装置５Ａ及び５Ｂの回路は共通である。
【００２７】
テレコントロール装置５Ａ，５Ｂは、モジュラージャック７に接続される電話回線接続部１１と、電源部１３とを備える。電話回線接続部１１は、電話回線制御部１４と、ＤＴＭＦレシーバ１５と、音声合成部１６と、リンガー検出部１７とを介してＣＰＵ１８に接続される。ＤＴＭＦレシーバ１５は、プッシュ式電話機からのボタン操作音を受け、どのボタンが押されたかをＣＰＵ１８に入力する。
【００２８】
このＣＰＵ１８には、空気調和機に対してテレコン信号を送信する赤外線送信用ＬＥＤ（出力部）２１と、空気調和機からの制御情報信号を受信する赤外線受信用レシーバ２２と、テレコン親子機５Ａ，５Ｂ間通信を可能にしたＲＦモジュール２３および内蔵アンテナ２４からなる通信部２５とが接続され、さらに各種設定用スイッチ２７が接続される。
【００２９】
テレコントロール装置５Ａ，５Ｂは、図３（Ａ）、（Ｂ）に示すように、上ケース３１と下ケース３２と中ケース３３とを備え、各種設定用スイッチ２７は、中ケース３３の表面に設置されている。
【００３０】
各種設定用スイッチ２７は、暗証番号設定用および親子登録用プッシュボタン３７と、電話の呼出回数設定スイッチ３９と、テレコン親機またはテレコン子機（ともに後述）を設定する親子切換スイッチ４１と、テレコン子機が複数設置された場合に子機アドレスを設定するアドレス設定スイッチ４３と、空気調和機３Ａ、３Ｂとの通信形態である赤外線双方向または単方向の設定用、及び試運転設定用の設定スイッチ４５とを備えて構成されている。上記プッシュボタン３７は、親子切換スイッチ４１により設定（仮設定）されたテレコン親機とテレコン子機とを、通信部２５を用いた通信により確定して親子登録を完了する機能を有する。
【００３１】
本実施形態では、１階のモジュラージャック７に接続されたテレコントロール装置５Ａがテレコン親機５ａを構成し、このテレコン親機５ａと無線通信可能に接続された２階のテレコントロール装置５Ｂがテレコン子機５ｂを構成する。
【００３２】
１階のテレコントロール装置５Ａ（テレコン親機５ａ）の各種設定用スイッチ２７は、つぎのように操作される。まず、親子切換スイッチ４１が親機側に切り換えられる。ついで、プッシュボタン３７により暗証番号が入力され、電話呼出回数設定スイッチ３９により呼出回数が設定される。これら暗証番号の入力および呼出の回数設定等はテレコン親機５ａのみで行われ、テレコン子機５ｂでは行われない。
【００３３】
また、図１の例では、設定スイッチ４５が、赤外線単方向通信に切り換えられる。例えば、空気調和機３Ａが、赤外線受信機能を有するだけで、赤外線送信機能を有しない場合、この単方向に切り換えられる。
【００３４】
２階のテレコントロール装置５Ｂ（テレコン子機５ｂ）の各種設定用スイッチ２７は、つぎのように操作される。まず、親子切換スイッチ４１が子機側に切り換えられる。ついで、アドレス設定スイッチ４３の操作によって、当該テレコン子機５ｂの子機アドレスが設定される。また、図１の例では、設定スイッチ４５が、赤外線双方向通信に切り換えられる。
【００３５】
上述のように、テレコン親機５ａ、テレコン子機５ｂにおける設定スイッチ２７の各スイッチ類が操作された後、これらのテレコン親機５ａとテレコン子機５ｂとのプッシュボタン３７がほぼ同時に押され、これにより、これらのテレコン親機５ａとテレコン子機５ｂとの親子登録が完了する。この親子登録によって、テレコン親機５ａにテレコン子機５ｂの「子機アドレス」、「子機ＩＤ」、及び当該テレコン子機５ｂによる「空気調和機３Ｂとの通信形態」が記憶され、また、テレコン子機５ｂにはテレコン親機５ａの「親機ＩＤ」が記憶される。
【００３６】
テレコン親機５ａ、テレコン子機５ｂ間で上記親子登録が完了して初めて、テレコン親機５ａとテレコン子機５ｂとの間で、それぞれのＩＤを基準にし通信部２５を用いた通信が実行され、テレコン親機５ａは電気機器としての空気調和機３Ａを制御可能とし、また、テレコン子機５ｂは、テレコン親機５ａとの通信により動作して、電気機器としての空気調和機３Ｂを制御可能とする。親子登録が完了していないテレコン親機５ａとテレコン子機５ｂ間では、通信部２５を用いた通信が実行されない（信号は受信しても無視される）。このため、例えば隣家で同一のテレコントロール装置が使用されていても、この隣家のテレコントロール装置との間で混信が生じることが防止される。
【００３７】
上述のテレコン親機５ａとテレコン子機５ｂとによる親子登録の手順は、図４に示す▲１▼〜▲４▼のように実行される。
【００３８】
▲１▼まず、親子切換スイッチ４１により親機に設定され、且つプッシュボタン３７が押されたテレコン親機５ａは、親子切換スイッチ４１により子機に設定され、且つアドレス設定スイッチ４３により子機アドレスが設定されたテレコン子機５ｂのＩＤが不明であるため、このテレコン子機５ｂにＩＤ未定（例えば「００００００」）で登録要求信号を送信する。上記テレコン親機５ａとほぼ同時にプッシュボタン３７が押された上記テレコン子機５ｂは上記登録要求信号を受信し、プッシュボタン３７が押された場合の所定時間内においてのみ、上記テレコン親機５ａの親機ＩＤを記憶し登録する。この親機ＩＤは、「００００００」〜「９９９９９９」のうちの一つである（例えば「０００００１」）。
【００３９】
▲２▼次に、上記テレコン子機５ｂは、登録要求信号を送信してきた上記テレコン親機５ａに対し、当該テレコン親機５ａの親機ＩＤを付した登録返信信号を送信する。この登録返信信号の内容は、送信したテレコン子機５ｂの「子機ＩＤ」、「子機アドレス」、及び「空気調和機との通信形態（赤外線による双方向または単方向の通信種別）」であり、これらの子機情報がテレコン親機５ａに記憶されて登録される。上記子機ＩＤは、「００００００」〜「９９９９９９」のうちの一つである（例えば「０００００２」）。
【００４０】
▲３▼上記登録返信信号を受信したテレコン親機５ａは、その登録返信信号を送信したテレコン子機５ｂに対し、当該テレコン子機５ｂの子機ＩＤを用いて登録確認信号を送信する。
【００４１】
▲４▼上記登録確認信号を受信したテレコン子機５ｂは、その登録確認信号を送信したテレコン親機５ａに対して登録完了信号を送信し、親子登録を完了する。
【００４２】
ここで、上記▲１▼においてテレコン子機５ｂが登録要求信号を受信する、プッシュボタン３７が押された場合の所定時間内とは、「プッシュボタン３７が一定時間（２〜５秒）押された場合」であればこの一定時間内であり、また、「プッシュボタン３７が一回だけ短時間に押された場合」であればこのプッシュボタン３７が押されてから一定の時間（例えば５〜１０秒）内である。
【００４３】
このように、テレコン親機５ａとテレコン子機５ｂとの両プッシュボタン３７がほぼ同時に押された場合の所定時間内にのみ、これらテレコン親機５ａとテレコン子機５ｂ間で親子登録が完了するように構成したことにより、この親子登録が隣家のテレコントロール装置とほぼ同時に実行された場合であっても、親子登録時に、隣家のテレコントロール装置との間で混信を生じることが回避される。
【００４４】
また、テレコン親機５ａ、テレコン子機５ｂ間で上述の親子登録を実行すべくプッシュボタン３７が押された場合には、これらテレコン親機５ａ及びテレコン子機５ｂの通信部２５から送信される信号（電波）の送信出力が、親子登録時以外の通常の場合に比べ低減される。これによっても、親子登録が隣家との間でほぼ同時に実行された場合に、この親子登録における信号（電波）の到達距離が短縮されるので、この親子登録時における隣家との間の混信が抑制される。
【００４５】
また、図１の例では、テレコン子機５ｂが一台の場合であるが、本システムでは、一台のテレコン親機５ａに複数台のテレコン子機５ｂが接続され得る。このようにテレコン子機５ｂが複数台接続された場合には、一台のテレコン親機５ａとの間で実施される親子登録は、各テレコン子機５ｂ毎に順次実施される。これにより、一台のテレコン親機５ａに複数台のテレコン子機５ｂの子機情報が登録される。
【００４６】
更に、テレコン親機５ａは、親子登録時にのみテレコン子機５ｂに対し自発的に送信するよう構成される。つまり、テレコン親機５ａは、親子登録時以外の通常時には、電話回線からの入力を受けなければテレコン子機５ｂへ信号を送信せず、テレコン子機５ｂはテレコン親機５ａからの信号を待機している。これにより、テレコン親機５ａとテレコン子機５ｂ間での送信が必要最小限に抑えられるので、テレコン親機５ａ及びテレコン子機５ｂによる消費電力が低減される。
【００４７】
また、上述の親子登録完了後にテレコン子機５ｂの子機アドレスが変更された場合、テレコン親機５ａは、そのテレコン子機５ｂに関する登録内容（つまり子機情報）の子機アドレスを、再度親子登録を実行することなく、変更された子機アドレスに書き換えるよう構成される。
【００４８】
つまり、テレコン親機５ａとテレコン子機５ｂ間の通信は、親子登録によってテレコン親機５ａがテレコン子機５ｂの、テレコン子機５ｂがテレコン親機５ａのそれぞれのＩＤを記憶し、この記憶された親子ＩＤ、子機ＩＤを用いて実行される。このため、テレコン子機５ｂの実際の子機アドレスが、テレコン親機５ａに登録（記憶）された子機アドレスと一致しない場合であっても、テレコン親機５ａ、テレコン子機５ｂ間での通信に支障が生じないので、再度親子登録を実行する必要がない。このときには、テレコン親機５ａは、親子登録時に記憶された子機アドレスを、その変更された子機アドレスに書き換えることで足り、テレコントロール装置５Ａ及び５Ｂの使い勝手が向上する。
【００４９】
また、使用者が外出先から電話回線を用いてテレコン親機５ａまたはテレコン子機５ｂの少なくとも一方を介し空気調和機３Ａ、３Ｂを操作するときに、テレコン親機５ａのＣＰＵ１８が使用者に送るガイダンスは、テレコン親機５ａ、テレコン子機５ｂがそれぞれ制御する空気調和機３Ａ、３Ｂとの通信形態（赤外線による単方向または双方向の通信種別）に応じて切り換えられる。
【００５０】
例えば、図１では、テレコン親機５ａと空気調和機３Ａとは、テレコン親機５ａから空気調和機３Ａへのみ通信する単方向の通信形態である。また、テレコン子機５ｂと空気調和機３Ｂとは、テレコン子機５ｂと空気調和機３Ｂとの間で通信を相互に実行する双方向の通信形態である。テレコン親機５ａのＣＰＵ１８は、双方向通信の場合には、空気調和機の運転状態等を「確認」する旨を含んだガイダンスを選択し、単方向通信の場合には、上記「確認」する旨を含まないガイダンスを選択する。
【００５１】
このようなテレコン親機５ａによる上記ガイダンスの切り換えがテレコン子機５ｂに対しても実行され得るのは、テレコン親機５ａとテレコン子機５ｂとの親子登録において、テレコン子機５ｂによる空気調和機３Ｂとの通信形態が、テレコン親機５ａに記憶されることにより可能となっている。
【００５２】
次に図５を用いて、テレコン親機５ａのＣＰＵ１８が、電話回線を介し使用者との間で実行する動作を説明する。
【００５３】
携帯電話、ＰＨＳ、公衆電話等から自宅に電話がかけられると、「ピンポーン、ただいま外出しています。」のように音声案内する（Ｓ１）。ここで、あらかじめ設定された暗証番号が入力されると（Ｓ２）、登録されたテレコントロール装置が、単独か否かを判断する（Ｓ３）。これが単独の場合は、テレコン親機５ａ一台だけが登録されている場合等である。
【００５４】
ステップＳ３で、テレコントロール装置が単独ではない場合、「操作するエアコン（つまり空気調和機、具体的にはテレコントロール装置）の番号を入れて下さい。」のように音声案内する（Ｓ４）。本システムでは、アドレス設定スイッチ４３によって、テレコン親機５ａの番号が「０」、テレコン子機５ｂの番号が「１」、テレコン子機が複数台ある場合、それぞれ「１」、「２」、「３」のように番号付けされている。
【００５５】
ステップＳ４の案内に従い番号入力が完了した場合、次にテレコン親機５ａと空気調和機３Ａ、テレコン子機５ｂと空気調和機３Ｂのそれぞれの通信形態が双方向であるか否かを判断する（Ｓ５）。
【００５６】
上記通信形態が単方向である場合には、「エアコンの停止は００＃、冷房は０１＃、暖房は０２＃、除湿は０３＃を押して下さい。」のように単方向用のガイダンスを音声案内する（Ｓ６）。
【００５７】
上記通信形態が双方向である場合には、「エアコンの停止は００＃、冷房は０１＃、暖房は０２＃、除湿は０３＃、確認は０４＃を押して下さい。」のように、双方向のガイダンスを音声案内する（Ｓ７）。
ステップＳ６またはＳ７の後に、停止「００＃」が押されると、「停止します。」のように音声案内して空気調和機の運転を停止させる（Ｓ８）。また、冷房「０１＃」、暖房「０２＃」、除湿「０３＃」のいずれかが押されると、それに対応して「冷房（暖房、除霜）運転します。室温は３０℃です。」等の各種情報を音声案内する（Ｓ９）。
【００５８】
そして、確認「０４＃」が押されると、「冷房運転しています。室温は３０℃です。設定は２５℃です。」等の各種情報を音声案内する（Ｓ１０）。このステップＳ１０の後、「００＃」が押されるとステップＳ８へ移り、「０１＃」、「０２＃」、「０３＃」が押されるとステップ９へ移る。
【００５９】
ステップＳ９の後、「設定は２５℃です。変更する場合は希望の温度を、最初に戻る場合は「＃」を押して下さい。」のように音声案内し（Ｓ１１）、「＃」が押されると最初に戻り、設定温度が入力されると、「はい、設定温度を２０℃に変更しました。」のように音声案内する（Ｓ１２）。
【００６０】
従って、上記実施の形態によれば、次の効果（１）〜（５）を奏する。
【００６１】
（１）プッシュボタン３７の押し操作により親子登録が完了していないテレコントロール装置５Ａ、５Ｂ（テレコン親機５ａ、テレコン子機５ｂ）間では通信が実行されないので、隣家で同じテレコントロール装置を使用していても、このテレコントロール装置５Ａ、５Ｂを介しての空気調和機３Ａ、３Ｂの操作時に、隣家のテレコントロール装置との間で混信が発生することを防止できる。
【００６２】
（２）プッシュボタン３７の操作による親子登録の完了は、テレコン親機５ａとテレコン子機５ｂの両プッシュボタン３７が同時に押された場合の所定時間内にのみ実行されることから、この親子登録が隣家のテレコントロール装置とほぼ同時に実行された場合でも、この親子登録時に、隣家のテレコントロール装置との間で混信を生ずる機会を極力低減できる。
【００６３】
（３）プッシュボタン３７の操作による親子登録時には、テレコン親機５ａ、テレコン子機５ｂの通信部２５から出力される電波の送信出力が、テレコン親機５ａとテレコン子機５ｂ間の通常の通信の場合に比べ低減されることから、親子登録が隣家のテレコントロール装置とほぼ同時に実行された場合でも、この親子登録時の電波の到達距離が短縮されるので、この親子登録時に、隣家のテレコントロール装置との間での混信を抑制できる。
【００６４】
（４）テレコン親機５ａは、親子登録時のみテレコン子機５ｂに対し自発的に送信することから、テレコン親機５ａからテレコン子機５ｂへの送信が必要最小限に抑えられる。このため、テレコン親機５ａによる消費電力を減少できる。
【００６５】
（５）テレコン親機５ａは、親子登録完了後にテレコン子機５ｂのアドレスが変更された場合、そのテレコン子機５ｂに関する登録内容のアドレスを、再度親子登録を実行することなく、変更されたアドレスに書き換えることから、テレコントロール装置５Ａ、５Ｂの使い勝手を向上させることができる。
【００６６】
以上、本発明を上記実施の形態に基づいて説明したが、本発明はこれに限定されるものではない。
【００６７】
【発明の効果】
本発明に係るテレコントロール装置によれば、複数台のテレコントロール装置を介して電気機器を操作する際に、隣家のテレコントロール装置との混信を防止できる。
【図面の簡単な説明】
【図１】本発明によるテレコントロール装置の一実施形態を適用したテレコントロールシステムを示す図である。
【図２】図１のテレコントロール装置のブロック図である。
【図３】（Ａ）はテレコントロール装置の上ケースを示し、（Ｂ）は下ケースを示す正面図である。
【図４】親子登録の手順を示す図である。
【図５】音声案内に従うフローチャートである。
【符号の説明】
１Ａ，１Ｂ  部屋
３Ａ，３Ｂ  空気調和機
５Ａ，５Ｂ  テレコントロール装置
５ａ  テレコン親機
５ｂ  テレコン子機
７  モジュラージャック
１１  電話回線接続部
１３  電源部
１４  電話回線制御部
１５  ＤＴＭＦレシーバ
１６  音声合成部
１７  リンガー検出部
１８  ＣＰＵ
２１  赤外線送信用ＬＥＤ（出力部）
２２  赤外線受信用レシーバ
２５  通信部
２７  各種設定用スイッチ
３７  プッシュボタン（親子登録ボタン）
３９  呼出回数設定スイッチ
４１  親子切換スイッチ
４３  アドレス設定スイッチ
４５  設定スイッチ
【図１】
0003754355.tif 000002
【図２】
0003754355.tif 000003
【図３】
0003754355.tif 000004
【図４】
0003754355.tif 000005
【図５】
0003754355.tif 000006